(57)【要約】【課題】排泄物の漏出を充分に抑制できる吸収性物品を提供すること。【解決手段】使い捨ておむつ１０は、液透過性のトップシート２０と、液不透過性のバックシートと、これらトップシート２０及びバックシートの間に介在する液吸収保持性の吸収体４０と、を備える。使い捨ておむつ１０は、一端５１側がトップシート２０の長手方向における略中央よりも前端２１側に、他端５２側がトップシート２０の長手方向における後端２２近傍に、それぞれ接続された上面シート５０を更に備える。この上面シート５０は、トップシート２０の短手方向に配置される方向の、ＪＩＳ  Ｌ  １０９６  カンチレバーＡ法で測定される剛軟度が１２０ｍｍ以下である。【選択図】図１
2008043525.tif 000002
【特許請求の範囲】
【請求項１】
液透過性のトップシートと、液不透過性のバックシートと、これらトップシート及びバックシートの間に介在する液吸収保持性の吸収体と、を備える吸収性物品であって、
一端側が前記トップシートの長手方向における略中央又は略中央よりも前端側に、他端側が前記トップシートの長手方向における後端近傍に、それぞれ接続された上面シートを更に備え、
前記上面シートは、前記トップシートの短手方向に配置される方向の、ＪＩＳ  Ｌ  １０９６  カンチレバーＡ法で測定される剛軟度が１２０ｍｍ以下である吸収性物品。
【請求項２】
前記剛軟度は６５ｍｍ以上である請求項１記載の吸収性物品。
【請求項３】
前記剛軟度は８０ｍｍ以上１００ｍｍ以下である請求項２記載の吸収性物品。
【請求項４】
前記トップシートに接続された部位に挟まれた前記上面シートの長さを調整する長さ調整手段を更に備える請求項１から３いずれか記載の吸収性物品。
【請求項５】
前記長さ調整手段は、前記上面シートに伸縮性を付与する伸縮性付与手段を有し、
前記上面シートは、最大伸張長さの８５％に伸長された状態における引っ張り応力が０．５Ｎ以上３．０Ｎ以下である請求項４記載の吸収性物品。
【請求項６】
前記上面シートは、自然長の１．２倍以上３．０倍以下の長さを挟んで前記トップシートに接続された請求項５記載の吸収性物品。
【請求項７】
前記上面シートは、前記トップシートの短手方向に配置される方向の幅が３０ｍｍ以上１５０ｍｍ以下である請求項１から６いずれか記載の吸収性物品。
【請求項８】
前記上面シートは、前記トップシートの短手方向に配置される方向の幅が５０ｍｍ以上７０ｍｍ以下である請求項７記載の吸収性物品。
【請求項９】
前記トップシートの長手方向の両側部に配置されたギャザーを更に備え、
前記上面シートは、前記後端近傍に接続された部分における前記トップシートの短手方向に配置される方向の幅が、着用時における前記ギャザー同士の間の距離以上である請求項１から８いずれか記載の吸収性物品。
【請求項１０】
液透過性のトップシートと、液不透過性のバックシートと、これらトップシート及びバックシートの間に介在する液吸収保持性の吸収体と、を備える吸収性物品であって、
一端側が前記トップシートの長手方向における略中央又は略中央よりも前端側に、他端側が前記トップシートの長手方向における後端近傍に、それぞれ接続された上面シートを更に備え、
前記上面シートは、液体を吸収保持する素材を実質的に含有しない吸収性物品。
【請求項１１】
液透過性のトップシートと、液不透過性のバックシートと、これらトップシート及びバックシートの間に介在する液吸収保持性の吸収体と、を備える吸収性物品であって、
前記トップシートの短手方向の略中央に配置され、且つ、一端が前記トップシートの長手方向における略中央又は略中央よりも前端側に、他端が前記トップシートの長手方向における後端近傍に、それぞれ接続された誘導部を更に備え、
前記誘導部は、この誘導部の幅方向中央に配置され且つ着用者のでん裂部に当接可能に成形された当接部と、この当接部の両側に設けられ且つ着用者のでん裂部から離間される離間部と、を有し、
前記当接部に供給された流体は、前記離間部へと流れ、前記離間部の両側部から前記トップシートへと落下する吸収性物品。
【発明の詳細な説明】
【技術分野】
【０００１】
本発明は、吸収性物品に関し、より詳しくは、大人用の使い捨て吸収性物品に関する。
【背景技術】
【０００２】
従来、大人用の使い捨て吸収性物品において、排泄物の漏出防止が要求されており、このような要求に対して、以下のような吸収性物品が開示されている。なお、いずれの吸収性物品も、液透過性のトップシートと、液不透過性のバックシートと、これらトップシート及びバックシートの間に介在する液吸収保持性の吸収体と、を備えている。
【０００３】
第１の吸収性物品は、トップシート上に長手方向に沿って配置された上面シートを更に備え、この上面シートは、伸縮性を有するとともに、両端部及び中央部においてトップシートに固着されている。これにより、上面シートが着用者の肌側に押し出され、吸収性物品と着用者の肌との隙間が狭まる（特許文献１参照）。
ここで、上面シートは、液透過性及び液吸収性を有する素材で形成されている。このため、着用者から排出された排泄物は、上面シートを透過し、トップシートを介して吸収体に吸収されるとともに、上面シートに残留した排泄物は上面シートに吸収される。
【０００４】
第２の吸収性物品は、トップシートの上方に配置された上面シートを更に備える。この上面シートは、自然状態ではトップシートから離間するが、中央部に所定重量の重りが載置されると、伸張して中央部がトップシートに接触するように構成されている（特許文献２、３参照）。
これにより、上面シートの中央部に所定重量以上の排泄物が排出された場合、上面シートの中央部がトップシートに接触し、排泄物がトップシートへと移行し、続いて、吸収体に吸収される。
【特許文献１】特開２００４−１８８１１５号公報
【特許文献２】特開平３−２３１６６４号公報
【特許文献３】特開平３−２３４２５７号公報
【発明の開示】
【発明が解決しようとする課題】
【０００５】
しかしながら、前述した吸収性物品では、以下のような問題があった。
【０００６】
第１の吸収性物品では、上面シートを液吸収性の素材で形成したので、剛性が高くなる。このため、上面シートがでん裂部の狭小な溝に挿入されず、皮膚の凹凸に密着しないために、上面シートと着用者の肌との隙間が充分に埋められない。すると、排泄物は、でん裂部の溝等を伝って流れることで、外部へと漏出することになる。特に、尿や水溶便等の低粘度の排泄物が排泄された場合には、容易に漏出が発生する。
【０００７】
第２の吸収性物品では、水溶便等の軽量の排泄物が排出された場合、上面シートが伸張せずトップシートに接触しないため、排泄物のトップシートへの移行が促進されない。このため、吸収されなかった排泄物が、でん裂部の溝等を伝って流れ、外部へと漏出することになる。
【０００８】
本発明は、以上の実情に鑑みてなされたものであり、排泄物の漏出を充分に抑制できる吸収性物品を提供することを目的とする。
【課題を解決するための手段】
【０００９】
本発明者らは、上面シートの剛軟度を低減することで、上面シートと着用者の肌との隙間を充分に埋められることを見出し、本発明を完成するに至った。より具体的には、本発明は、以下のようなものを提供する。
【００１０】
（１）  液透過性のトップシートと、液不透過性のバックシートと、これらトップシート及びバックシートの間に介在する液吸収保持性の吸収体と、を備える吸収性物品であって、一端側が前記トップシートの長手方向における略中央又は略中央よりも前端側に、他端側が前記トップシートの長手方向における後端近傍に、それぞれ接続された上面シートを更に備え、前記上面シートは、前記トップシートの短手方向に配置される方向の、ＪＩＳ  Ｌ  １０９６  カンチレバーＡ法で測定される剛軟度が１２０ｍｍ以下である吸収性物品。
【００１１】
（１）の発明によれば、上面シートの一端をトップシートの長手方向における略中央又は略中央よりも前端側に、他端をトップシートの長手方向における後端近傍にそれぞれ接続したので、着用時において上面シートは、着用者のでん裂部に対向する。
ここで、トップシートの短手方向に配置される方向の剛軟度を１２０ｍｍ以下としたので、上面シートは柔軟に変形して、でん裂部の狭小な溝に挿入され、皮膚の凹凸に密着する。よって、上面シートと着用者の肌との隙間が充分に埋められるので、排泄物の漏出を充分に抑制できる。
【００１２】
ここで「後端近傍」とは、着用時において、着用者のでん裂部よりも頭側の部分に対向される部分を指す。即ち、「後端近傍」の範囲は、吸収性物品の寸法や形状、予想される着用者の体格等に基づいて、適宜設定されてよい。
【００１３】
（２）  前記剛軟度は６５ｍｍ以上である（１）記載の吸収性物品。
【００１４】
剛軟度が小さすぎると、着用時に上面シートがよれて、上面シートと着用者の肌との隙間が発生し、この隙間を通じて排泄物が漏出することが懸念される。
そこで（２）の発明によれば、剛軟度を６５ｍｍ以上としたので、排泄物の漏出を確実に抑制できる。
【００１５】
（３）  前記剛軟度は８０ｍｍ以上１００ｍｍ以下である（２）記載の吸収性物品。
【００１６】
（３）の発明によれば、剛軟度を８０ｍｍ以上１００ｍｍ以下としたので、排泄物の漏出をより確実且つ充分に抑制できる。
【００１７】
（４）  前記トップシートに接続された部位に挟まれた前記上面シートの長さを調整する長さ調整手段を更に備える（１）から（３）いずれか記載の吸収性物品。
【００１８】
（４）の発明によれば、長さ調整手段を更に設けたので、上面シートを所望の長さに調整できる。これにより、着用者間におけるでん裂部の形状等に応じて、上面シートを適切な長さに調整することで、排泄物の漏出をより確実且つ充分に抑制できるので、吸収性物品の汎用性を向上できる。
【００１９】
長さの調整方式として、具体的には、上面シート及び／又はトップシートに複数の接着部材を設置することで上面シートとトップシートとの接続部位を変更可能とする方式、上面シートに伸縮性を付与することで上面シートの長さを変更可能とする方式等が挙げられるが、特に限定されるものではない。
【００２０】
（５）  前記長さ調整手段は、前記上面シートに伸縮性を付与する伸縮性付与手段を有し、前記上面シートは、最大伸張長さの８５％に伸長された状態における引っ張り応力が０．５Ｎ以上３．０Ｎ以下である（４）記載の吸収性物品。
【００２１】
（５）の発明によれば、伸縮性付与手段により上面シートに伸縮性が付与されるので、着用者の身体形状等に応じて上面シートの長さが調整される。よって、排泄物の漏出をより確実且つ充分に抑制できるので、吸収性物品の汎用性を向上できる。
【００２２】
しかし、上面シートの収縮性が不足すると、上面シートが着用者の肌に押し当たる力が弱いために、排泄物をトップシートへと落下できず、でん裂部の溝を流れて漏出することが懸念される。一方、上面シートの収縮性が過剰であると、上面シートが着用者の肌に押し当たる力が強すぎるために、着用者に大きい不快感を与えることが懸念される。
そこで、（５）の発明によれば、上面シートの引っ張り応力を０．５Ｎ以上３．０Ｎ以下としたので、排泄物の漏出を抑制でき且つ着用者に与える不快感を軽減できる。
【００２３】
伸縮性付与手段としては、結果的に上面シートが伸縮性を有するように構成できるものである限りにおいて特に限定されず、上面シートを構成する伸縮性素材、上面シートに設けられる弾性部材等が挙げられる。例えば、伸縮性付与手段として、上面シートの長さ方向に沿って延びる弾性部材等を採用すれば、上面シートが収縮して、上面シートの表面に皺が形成される。この皺は排泄物の流路となるため、排泄物をトップシートへと落下させ、吸収体に吸収保持させやすくなる。
【００２４】
（６）  前記上面シートは、自然長の１．２倍以上３．０倍以下の長さを挟んで前記トップシートに接続された（５）記載の吸収性物品。
【００２５】
上面シートの自然長に対する、接続された部位間の距離の比が小さすぎると、着用時に収縮した上面シートがトップシートから充分に離間せず、でん裂部の溝の深部にまで到達しない場合がある。この場合、上面シートと着用者の肌との間に隙間が発生するので、排泄物の漏出が懸念される。一方、上面シートの自然長に対する、接続された部位間の距離の比が大きすぎると、着用時に収縮した上面シートが弛み、トップシートの短手方向にずれやすくなる。このような場合、上面シートが着用者のでん裂部に挿入されず、排泄物が漏出することが懸念される。
そこで（６）の発明によれば、上面シートを、自然長の１．２倍以上３．０倍以下の長さを挟んでトップシートに接続したので、排泄物の漏出をより充分且つ確実に抑制できる。
【００２６】
（７）  前記上面シートは、前記トップシートの短手方向に配置される方向の幅が３０ｍｍ以上１５０ｍｍ以下である（１）から（６）いずれか記載の吸収性物品。
【００２７】
（８）  前記上面シートは、前記トップシートの短手方向に配置される方向の幅が５０ｍｍ以上７０ｍｍ以下である（７）記載の吸収性物品。
【００２８】
上面シートの幅が狭すぎると、でん裂部の溝を覆いきれず、覆われていない部分を排泄部が流れて、漏出することが懸念される。一方で、上面シートの幅が広すぎると、着用時において、上面シートが着用者の臀部に敷きこまれ、トップシートから充分に離間せずに、でん裂部の溝の深部にまで到達しない場合がある。この場合、上面シートと着用者の肌との間に隙間が発生するので、排泄物の漏出が懸念される。
そこで（７）の発明によれば、トップシートの短手方向に配置される方向の幅を３０ｍｍ以上１５０ｍｍ以下としたので、排泄物の漏出をより充分に抑制できる。また、（８）の発明によれば、トップシートの短手方向に配置される方向の幅を３０ｍｍ以上１５０ｍｍ以下としたので、排泄物の漏出を更に充分に抑制できる。
【００２９】
また、トップシートの長手方向の両側部にギャザーが配置されているような場合には、上面シートの幅が広すぎると、次のような問題がある。つまり、股間に対向する吸収性物品の部分が着用者の足に押されて幅狭になった場合、上面シートはギャザー上にかかりやすくなる。すると、上面シートから落下した排泄物がギャザー上に乗り上げて、外部へと漏出する場合がある。しかし、（７）又は（８）の発明によれば、ギャザーを備えることによる効果を得つつ、以上のような事態の発生を抑制することもできる。
【００３０】
（９）  前記トップシートの長手方向の両側部に配置されたギャザーを更に備え、前記上面シートは、前記後端近傍に接続された部分における前記トップシートの短手方向に配置される方向の幅が、着用時における前記ギャザー同士の間の距離以上である（１）から（８）いずれか記載の吸収性物品。
【００３１】
（９）の発明によれば、トップシートの両側部にギャザーを配置したので、トップシートに落下された排泄物が両側部から漏出するのを抑制できる。更に、後端近傍に接続された部分における上面シートの幅を、着用時におけるギャザー同士の間の距離以上としたので、トップシートの後端近傍に流れた排泄物は、上面シートでせき止められる。このため、トップシートに落下された排泄物が後端から漏出するのも抑制できるから、排泄物の漏出をより充分に抑制できる。
【００３２】
（１０）  液透過性のトップシートと、液不透過性のバックシートと、これらトップシート及びバックシートの間に介在する液吸収保持性の吸収体と、を備える吸収性物品であって、一端側が前記トップシートの長手方向における略中央又は略中央よりも前端側に、他端側が前記トップシートの長手方向における後端近傍に、それぞれ接続された上面シートを更に備え、前記上面シートは、液体を吸収保持する素材を実質的に含有しない吸収性物品。
【００３３】
（１０）の発明によれば、上面シートの一端をトップシートの長手方向における略中央又は略中央よりも前端側に、他端をトップシートの長手方向における後端近傍にそれぞれ接続したので、着用時において上面シートは、着用者のでん裂部に対向する。
ここで、液体を吸収保持する素材を上面シートに実質的に含有させなかったので、上面シートの柔軟性が損なわれない。このため、上面シートは柔軟に変形して、でん裂部の狭小な溝に挿入され、皮膚の凹凸に密着する。よって、上面シートと着用者の肌との隙間が充分に埋められるので、排泄物の漏出を充分に抑制できる。
【００３４】
「実質的に含有しない」とは、上面シートの柔軟性が損なわれる程度には含有しないことを指し、具体的には、含有量が上面シート全体に対して１質量％以上でないことを指す。
【００３５】
（１１）  液透過性のトップシートと、液不透過性のバックシートと、これらトップシート及びバックシートの間に介在する液吸収保持性の吸収体と、を備える吸収性物品であって、前記トップシートの短手方向の略中央に配置され、且つ、一端が前記トップシートの長手方向における略中央又は略中央よりも前端側に、他端が前記トップシートの長手方向における後端近傍に、それぞれ接続された誘導部を更に備え、前記誘導部は、この誘導部の幅方向中央に配置され且つ着用者のでん裂部に当接可能に成形された当接部と、この当接部の両側に設けられ且つ着用者のでん裂部から離間される離間部と、を有し、前記当接部に供給された流体は、前記離間部へと流れ、前記離間部の両側部から前記トップシートへと落下する吸収性物品。
【００３６】
（１１）の発明によれば、着用時において、誘導部の幅方向中央に配置された当接部はでん裂部に当接し、離間部はでん裂部から離間する。このため、着用者から排出された排泄物は、以下のような動向をとることになる。
まず、当接部とでん裂部との隙間が充分に埋められているので、当接部に供給された排泄物は、でん裂部の溝を伝わずに、でん裂部及び当接部に接触しながら離間部の方へと移動する。続いて、離間部へと移動した排泄物は、でん裂部を離れて離間部の両側へと流れ、やがてトップシートへと落下する。
このように、排泄物は誘導部を介してトップシートへと落下するように誘導されるので、排泄物の漏出を充分に抑制できる。
【００３７】
このように、剛軟度等を所定範囲とすることで着用者のでん裂部に当接可能とするのみならず、予め着用者のでん裂部に所定形状に成形することで着用者のでん裂部に当接可能としてもよい。
【発明の効果】
【００３８】
本発明によれば、上面シートの一端をトップシートの長手方向における略中央又は略中央よりも前端側に、他端をトップシートの長手方向における後端近傍にそれぞれ接続したので、着用時において上面シートは、着用者のでん裂部に対向する。ここで、トップシートの短手方向に配置される方向の剛軟度を１２０ｍｍ以下としたので、上面シートは柔軟に変形して、でん裂部の狭小な溝に挿入され、皮膚の凹凸に密着する。よって、上面シートと着用者の肌との隙間が充分に埋められるので、排泄物の漏出を充分に抑制できる。
【００３９】
また、液体を吸収保持する素材を上面シートに実質的に含有させなかったので、上面シートの柔軟性が損なわれない。このため、上面シートは柔軟に変形して、でん裂部の狭小な溝に挿入され、皮膚の凹凸に密着する。よって、上面シートと着用者の肌との隙間が充分に埋められるので、排泄物の漏出を充分に抑制できる。
【００４０】
若しくは、誘導部に当接部及び離間部を設けたので、当接部とでん裂部との隙間が充分に埋められ、当接部に供給された排泄物は、でん裂部の溝を伝わずに、でん裂部及び当接部に接触しながら離間部の方へと移動する。続いて、離間部へと移動した排泄物は、でん裂部を離れて離間部の両側へと流れ、やがてトップシートへと落下する。
このように、排泄物は誘導部を介してトップシートへと落下するように誘導されるので、排泄物の漏出を充分に抑制できる。
【発明を実施するための最良の形態】
【００４１】
以下、本発明の実施形態について、図面を参照しながら説明する。なお、第１実施形態以外の各実施形態の説明において、第１実施形態と共通するものについては、同一符号を付し、その説明を省略若しくは簡略化する。
【００４２】
＜第１実施形態＞
［全体構成］
図１は、本発明の第１実施形態に係る使い捨ておむつ１０の全体斜視図である。図２は図１の平面図である。
【００４３】
図１及び図２に示されるように、吸収性物品としての使い捨ておむつ１０（以後、単に「おむつ１０」と省略する）は、液透過性のトップシート２０と、液不透過性のバックシート３０（後述の図３参照）と、これらトップシート２０及びバックシート３０の間に介在する液吸収保持性の吸収体４０と、を備える。また、トップシート２０のバックシート３０との反対面には、上面シート５０が設けられている。
【００４４】
［トップシート］
トップシート２０は、排泄物を後述の吸収体４０へと迅速に透過させ、吸収保持させるためのものである。このようなトップシート２０は、肌に与える刺激が小さい材料で形成されることが好ましく、このような材料として、親水性の不織布又は織布、多孔性プラスチックフィルム等のほか、開孔を有する疎水性の不織布、開孔を有するフィルム等が使用できる。ここでいう不織布は、ポリオレフィン系、ポリエステル系、又は、ポリアミド系等の繊維で形成されたシースコア型複合繊維の他、スパンボンド、ポイントボンド、スルーエアボンド、ケミカルボンド、メルトブローン、スパンレース、又は、ニードルパンチ等の方法を用いて製造されたサイドバイサイド型複合繊維であってよい。また、レーヨン、アセテート、コットン、パルプ、又は、合成樹脂が単独又は芯鞘構造を成すように複合された繊維状シートを用いることもできる。
【００４５】
トップシート２０の形状や寸法は、特に限定されないが、本実施形態では、長手方向の寸法が４５０ｍｍ以上７００ｍｍ以下（例えば、６００ｍｍ）、短手方向の寸法が１５０ｍｍ以上３００ｍｍ以下（例えば、２５０ｍｍ）の略矩形状である。
【００４６】
［バックシート］
バックシート３０は、後述する吸収体４０に吸収された排泄物が透過して漏出するのを抑制するものである。このようなバックシート３０としては、疎水性の不織布、液不透過性フィルム、親水性不織布及び液不透過性フィルムが張り合わされたシート、撥水処理された不織布や、微細孔を有する透湿性プラスチックフィルム、又は、これらの積層体が使用できる。このうち、透湿性素材によれば、装着時のムレが低減されて、着用者に与える不快感を軽減できる。
【００４７】
バックシート３０の形状や寸法は、後述の吸収体４０よりも大きい限りにおいて特に限定されないが、本実施形態では、長手方向の寸法が４５０ｍｍ以上７００ｍｍ以下（例えば、６００ｍｍ）、短手方向の寸法が１５０ｍｍ以上３５０ｍｍ以下（例えば、２９０ｍｍ）の略矩形状である。
【００４８】
［吸収体］
吸収体４０は、排泄物を吸収保持するものである。このような吸収体４０としては、解繊パルプと高吸水性ポリマーを併用したもの、セルロース繊維、熱可塑性樹脂、高吸水性ポリマー、熱融着性繊維等が混合されて熱処理されたものが好ましく使用される。
【００４９】
なお、複数の層が積層されたものを使用する場合、高吸水性ポリマーは、上層、中層、下層のいずれに存在してもよく、パルプと混合されていてもよい。また、高吸水性ポリマーとしては、排泄物を吸収保持してゲル化する性質を有するものが好ましく、具体的には、デンプン−アクリル酸（塩）グラフト共重合体、デンプン−アクリロニトリル共重合体のケン化物、ナトリウムカルボキシメチルセルロースの架橋物、アクリル酸（塩）重合体等が挙げられる。
【００５０】
吸収体４０の形状や寸法は、特に限定されないが、本実施形態では、長手方向の寸法が４００ｍｍ以上６５０ｍｍ以下（例えば、５３０ｍｍ）、短手方向の寸法が１５０ｍｍ以上３００ｍｍ以下（例えば、２５０ｍｍ）の略矩形状である。
【００５１】
［上面シート］
図３は、図２のＸ−Ｘ線断面図であり、図４は、図２のＹ−Ｙ線断面図である。
上面シート５０は、本実施形態では略矩形状であり、一端５１がトップシート２０の長手方向における略中央又は略中央よりも前端２１側に、他端５２がトップシート２０の長手方向における後端２２近傍に、それぞれ接続されている。なお、上面シート５０とトップシート２０との接続は、特に限定されず、ホットメルト接着剤、熱融着、圧着、面ファスナー等を用いて行われてよい。
【００５２】
上面シート５０を形成する素材は、液吸収保持性の素材を実質的に含有していないことが好ましい。また、素材は、液透過性又は液不透過性のいずれであってもよいが、尿や低粘度の水溶便をトップシート２０上へと移行できる点で、液透過性であることが好ましい。なお、上面シート５０が排泄物を保持せず、当接する肌の「さらっと性」が維持されて着用者に快適となる点では、上面シート５０の素材が液不透過性であってもよい。液透過性の素材としては、親水性の不織布又は織布、伸縮性の不織布等が挙げられる。一方、液不透過性の素材としては、疎水性の不織布、液不透過性フィルム、親水性の不織布と液不透過性フィルムとが張り合わされたシート等が挙げられる。
【００５３】
（弾性部材）
おむつ１０は、長さ調整手段又は伸縮性付与手段としての弾性部材６０を備える。この弾性部材６０は、トップシート２０の長手方向に沿って延びるように、上面シート５０内に複数本配置されている。ここで、上面シート５０における一端５１と他端５２との間の部分は、トップシート２０に接続されていないので、着用時におけるトップシート２０の形状変化に対応して伸縮自在となっている。
【００５４】
弾性部材６０は、伸縮自在の弾性を有する限りにおいて特に限定されず、天然ゴム、合成ゴム、ポリウレタン製の糸状ゴム、平ゴム、リボン状ゴム、熱収縮性素材、吸水収縮性繊維等、種々の材料で形成されてよい。
【００５５】
このような上面シート５０は、本実施形態では、自然状態において、長手方向の寸法が８０ｍｍ以上３００ｍｍ以下（例えば、２００ｍｍ）、短手方向の寸法（図２におけるＷＵ）が３０ｍｍ以上１５０ｍｍ以下、好ましくは５０ｍｍ以上７０ｍｍ以下（例えば、６０ｍｍ）である。ＷＵは、着用時における後述するギャザー７０ａ、７０ｂ同士の間の距離以上であることが、更に好ましい。
【００５６】
また、上面シート５０は、５０ｍｍ以上２００ｍｍ以下（例えば、１５０ｍｍ）に長手方向に伸張された状態で、即ち、自然長の１．２倍以上３．０倍以下の長さを挟んでトップシート２０に接続されている。自然長の１．３倍以上１．７倍以下の長さを挟むことが好ましい。
【００５７】
〔剛軟度〕
上面シート５０は、本実施形態においては収縮時において、トップシート２０の短手方向に配置される方向の、カンチレバー法で測定される剛軟度が６５ｍｍ以上１２０ｍｍ以下であることが好ましく、より好ましくは８０ｍｍ以上１００ｍｍ以下である。なお、上面シートが伸縮性を実質的に有しない場合には、自然状態における剛軟度を測定すればよい。
ここでいう剛軟度は、ＪＩＳ  Ｌ  １０９６  カンチレバーＡ法に従った手順で測定されるものである。
【００５８】
〔引っ張り応力〕
上面シート５０は、引っ張り応力試験で測定される引っ張り応力が０．５Ｎ以上３．０Ｎ以下であることが好ましい。
また、上面シート５０は、引っ張り応力が、短手方向における中央部５４において最高値となり、短手方向における両側部５３ａ、５３ｂに向かうにつれて低下するように、構成されていることが好ましい。これにより、着用時において、上面シート５０の中央部５４に排出された排泄物は、上面シート５０が着用者の肌に押し当たる力が弱い両側部５３ａ、５３ｂに移行するので、トップシート２０へと排泄物を落下させやすくなる。
【００５９】
ここでいう引っ張り応力試験は、例えば、以下のような手順で行われる。
まず、上面シートを、その長手方向及び幅方向における中央部において、３５０ｍｍ×３０ｍｍ（長手方向×短手方向）に切り取り、試料を得る。次に、この試料を、１３０ｍｍ間隔で設置された複数のチャックに係合させる。続いて、引張試験機［例えば、「インストロン」（商品名）］を用い、速度２００ｍｍ／分、最大伸張長さの９５％が最大値、最大伸長長さの８５％が中間値となるようなサイクルで、連続的に２回、試料を伸張させ、２サイクル目において最大伸張長さの８５％に戻った時における引っ張り応力を測定する。
【００６０】
［ギャザー］
おむつ１０は、トップシート２０の長手方向の両側部に配置されたギャザー７０ａ、７０ｂを更に備える。これらギャザー７０ａ、７０ｂは、おむつ側縁部からの排泄物の漏出を抑制するものである。具体的には、ギャザー７０ａ、７０ｂの各々は、トップシート２０の両側部２３、前端２１及び後端２２に接合された固定端７１ａ、７１ｂと、弾性部材７３が伸張状態で設けられた自由端７２ａ、７２ｂと、を有する。
また、ギャザー７０ａ、７０ｂの幅（図２におけるＷＧ）は、排泄物の漏出を効果的に抑制できる点で、３０ｍｍ以上９０ｍｍ以下（例えば、６０ｍｍ）であることが好ましい。
【００６１】
ギャザー７０ａ、７０ｂは、通気性を有する素材で形成されることが好ましく、このような素材としては、例えば、ポリエチレン、ポリプロピレン、ポリエステル等の熱可塑性樹脂を原料とした合成繊維からなる撥水性の不織布が挙げられる。また、弾性部材７３としては、天然系又は合成系のウレタン糸、糸ゴム、平ゴム等、従来公知のものが使用できる。
【００６２】
本実施形態によれば、以下のような作用効果が得られる。
【００６３】
上面シート５０の一端５１をトップシート２０の長手方向における略中央よりも前端２１側に、他端５２をトップシート２０の長手方向における後端２２近傍にそれぞれ接続したので、着用時において上面シート５０は、着用者のでん裂部に対向する。
ここで、トップシート２０の短手方向に配置される方向の上面シート５０の剛軟度を１２０ｍｍ以下としたので、上面シート５０は柔軟に変形して、でん裂部の狭小な溝に挿入され、皮膚の凹凸に密着する。よって、上面シート５０と着用者の肌との隙間が充分に埋められるので、排泄物の漏出を充分に抑制できる。
【００６４】
トップシート２０の短手方向に配置される方向の上面シート５０の剛軟度を６５ｍｍ以上としたので、排泄物の漏出を確実に抑制できる。
【００６５】
弾性部材６０を上面シート５０の長手方向に沿って設けたので、上面シート５０が収縮して、上面シート５０の表面に皺が形成される。この皺は排泄物の流路となるため、排泄物をトップシート２０へと落下させ、吸収体４０に吸収保持させやすくなる。しかも、上面シート５０の引っ張り応力を０．５Ｎ以上３．０Ｎ以下としたので、排泄物の漏出を抑制でき且つ着用者に与える不快感を軽減できる。
【００６６】
上面シート５０を、自然長の１．２倍以上３．０倍以下の長さを挟んでトップシート２０に接続したので、排泄物の漏出をより充分且つ確実に抑制できる。
【００６７】
トップシート２０の短手方向に配置される方向の上面シート５０の幅を３０ｍｍ以上１５０ｍｍ以下としたので、排泄物の漏出をより充分に抑制できる。
【００６８】
トップシート２０の両側部２３にギャザー７０ａ、７０ｂを配置したので、トップシート２０に落下された排泄物が両側部２３から漏出するのを抑制できる。更に、後端２２近傍に接続された部分における上面シート５０の幅を、着用時におけるギャザー７０ａ、７０ｂ同士の間の距離以上としたので、後端２２近傍に流れた排泄物は、上面シート５０でせき止められる。このため、トップシート２０に落下された排泄物が後端２２から漏出するのも抑制できるから、排泄物の漏出をより充分に抑制できる。
【００６９】
液体を吸収保持する素材を上面シート５０に実質的に含有させなかったので、上面シート５０の柔軟性が損なわれない。このため、上面シート５０は柔軟に変形して、でん裂部の狭小な溝に挿入され、皮膚の凹凸に密着する。よって、上面シート５０と着用者の肌との隙間が充分に埋められるので、排泄物の漏出を充分に抑制できる。
【００７０】
＜第２実施形態＞
図５は、本発明の第２実施形態に係るおむつ１０Ａの平面図である。本実施形態では、ベルト８０及び係止部２５が設けられている点で第１実施形態と異なる。
【００７１】
即ち、おむつ１０Ａは、バックシート３０の後端３２側に接続されたベルト８０を更に備える。このベルト８０は、具体的には、バックシート３０の後端３２側から、バックシート３０の短手方向に延出され、ベルト８０内には延出方向に沿って延びる弾性部材８１が配置されている。また、ベルト８０の一端８２ａには、接続部８３が設けられており、この接続部８３を介して一端８２ａが他端８２ｂに着脱可能に接続される。このような接続部８３としては、面ファスナー等の従来公知のものが使用できる。
【００７２】
このようなベルト８０は、本実施形態では、略矩形のシート部材で形成されており、シート部材としては、親水性の不織布又は織布、伸縮性の不織布等が使用できる。なお、ベルト８０とバックシート３０との接続は、特に限定されず、ホットメルト接着剤、熱融着、圧着、面ファスナー等を用いて行われてよい。
【００７３】
また、おむつ１０Ａは、前端２１近傍に設けられた係止部２５を更に備える。この係止部２５は、本実施形態では、ギャザー７０ａ、７０ｂの表面に設けられているが、トップシート２０の表面に設けられていてもよい。このような係止部２５としては、面ファスナー等の従来公知のものが使用できる。
【００７４】
以上のおむつ１０Ａの使用方法を、図６を参照しながら説明する。
まず、図６（Ａ）に示されるように、おむつ１０Ａを着用者の背側に配置し、ベルト８０を着用者の腰回りに巻きつける。ここで、ベルト８０は、弾性部材８１により付与された伸縮性を備えるので、着用者の腰回り長の差異に対応できる。更に、接続部８３を他端８２ｂに接続することで、ベルト８０を位置決めする。
続いて、図６（Ｂ）に示されるように、おむつ１０Ａの前端側を、股間を通して着用者の腹側に引き上げる。更に、係止部２５をベルト８０に係止させることで、おむつ１０Ａが着用者に装着されることになる。
【００７５】
本実施形態によれば、第１実施形態による作用効果に加えて、次の作用効果が得られる。
【００７６】
着用時においてベルト８０が着用者の腰回りに固定されると、おむつ１０Ａは短手方向に更に伸張されることで、上面シート５０も短手方向に伸張される。これにより、上面シート５０のヨレや弛みが抑制され、上面シート５０が対向する着用者の肌との隙間が埋められる。よって、上面シート５０が着用者の肌により密着するので、排泄物の漏出をより抑制できる。
【００７７】
着用時にベルト８０が着用者の腰回りに固定されると、着用者が姿勢を変えたり動作したりしても、おむつ１０Ａが長手方向及び短手方向にずれにくくなる。これにより、上面シート５０が伸張した状態が維持されて、トップシート２０から充分に離間するとともに、充分な引っ張り応力で着用者の肌に当接する。また、上面シート５０が短手方向にずれて、着用者のでん裂部の溝に対向しない位置へと移動するのが予防される。よって、排泄物の漏出をより抑制できる。
【００７８】
＜第３実施形態＞
図７は、本発明の第３実施形態に係るおむつ１０Ｂの全体斜視図である。本実施形態では、上面シート５０の代わりに誘導部９０が設けられている点で第１実施形態と異なる。
【００７９】
即ち、おむつ１０Ｂは、トップシート２０の短手方向の略中央に配置された紐状の誘導部９０を更に備える。この誘導部９０は、一端９１がトップシート２０の長手方向における略中央又は略中央よりも前端２１側に、他端９２がトップシート２０の長手方向における後端２２近傍に、それぞれ接続されている。
【００８０】
誘導部９０は、着用者のでん裂部に当接可能に成形されており、本実施形態では、直径１０ｍｍ以下の略円形断面を有し、内部には弾性部材６０が長手方向に沿って延びるように配置されている。これにより、着用時において、誘導部９０は伸張し、着用者のでん裂部の狭小な溝にも挿入される。このとき、誘導部９０の幅方向中央部分はでん裂部に当接される当接部として作用し、誘導部９０の幅方向両側部分はでん裂部から離間される離間部として作用する。
【００８１】
このような誘導部９０は、種々の素材で形成されてよい。即ち、液透過性又は液不透過性、液吸収保持性又は液不吸収保持性のいずれの特性を備える素材で形成されてもよい。また、誘導部９０の内部には、長さ調整手段及び伸縮性付与手段としての弾性部材６０が、トップシート２０の長手方向に沿って延びるように複数本配置されている。ここで、誘導部９０における一端９１と他端９２との間の部分は、トップシート２０に接続されていないので、着用時におけるトップシート２０の形状変化に対応して伸縮自在となっている。
【００８２】
本実施形態によれば、以下の作用効果が得られる。
【００８３】
誘導部９０の一端９１をトップシート２０の長手方向における略中央よりも前端２１側に、他端９２をトップシート２０の長手方向における後端２２近傍にそれぞれ接続したので、着用時において誘導部９０は、着用者のでん裂部に対向する。
ここで、誘導部９０を着用者のでん裂部に当接可能に成形したので、誘導部９０はでん裂部の狭小な溝に挿入されて、その幅方向中央がでん裂部に当接するとともに、幅方向両側部がでん裂部から離間する。よって、排泄物は誘導部９０を介してトップシート２０へと落下するように誘導されるので、排泄物の漏出を充分に抑制できる。
【００８４】
〔変形例〕
なお、本発明は前記実施形態に限定されるものではなく、本発明の目的を達成できる範囲での変形、改良等は本発明に含まれるものである。例えば、前記実施形態では、弾性部材を用いることで、上面シート及び誘導部に伸縮性を付与したが、これに限られず、上面シート及び誘導部を伸縮性素材で形成することによって伸縮性を付与してもよい。また、前記実施形態では、おむつ１０をテープ型としたが、これに限られず、パンツ型であってもよい。その他、以下のような変形例が挙げられる。
【００８５】
［変形例１］
図８は、本発明の変形例１に係るおむつ１０Ｃの平面図である。変形例１においては、上面シート５０Ｃの形状が第１実施形態と異なる。
即ち、上面シート５０Ｃの幅は、トップシート２０の後端２２側から前端２１側へと向かうにつれて漸次狭まっている。具体的には、後端２２側での幅Ｗ２が６０ｍｍ以上１５０ｍｍ以下（例えば、１００ｍｍ）であり、前端２１側での幅Ｗ１が３０ｍｍ以上８０ｍｍ以下（例えば、６０ｍｍ）である。
【００８６】
以上の変形例１によれば、第１実施形態による作用効果に加え、以下の作用効果が得られる。
【００８７】
股間に対向するおむつ１０Ｃの部分が着用者の足に押されて幅狭になった場合でも、上面シート５０Ｃの一端５１の幅Ｗ１が狭いので、上面シート５０Ｃはギャザー７０ａ、７０ｂ上にかかりにくい。よって、排泄物は、ギャザー７０ａ、７０ｂに妨害されることなく、上面シート５０Ｃの両側部５３ａ、５３ｂからトップシート２０上へと落下するので、排泄物の漏出をより抑制できる。
【００８８】
［変形例２］
図９及び図１０は、本発明の変形例２に係るおむつ１０Ｄ、１０Ｅの平面図である。変形例２においては、上面シート５０Ｄ、５０Ｅの形状が変形例１と異なる。
即ち、上面シート５０Ｄ、５０Ｅの他端５２側には、それぞれスリット５５が設けられている。具体的には、上面シート５０Ｄにはスリット５５が１箇所、上面シート５０Ｅにはスリット５５が２箇所に設けられている。このように、スリット５５の設置箇所の数は特に限定されない。
【００８９】
以上の変形例２によれば、以下の作用効果が得られる。
【００９０】
極度の水溶便が排出された場合、上面シート５０Ｄ、５０Ｅと着用者の肌との間の極めて狭小な隙間を通って、排泄物が漏出することが懸念される。そこで、上面シート５０Ｄ及び５０Ｅの他端５２側にスリット５５を設けたので、極度の水溶便も、スリット５５からトップシート２０上に落下する。よって、極度の水溶便も吸収体４０に吸収されるので、排泄物の漏出を確実に抑制できる。
【００９１】
［変形例３］
図１１は、本発明の変形例３に係るおむつ１０Ｆの断面図である。より具体的には、上面シート５０Ｆの長手方向における略中央部におけるおむつ１０Ｆの断面図である。変形例３においては、上面シート５０Ｆの構成が第１実施形態と異なる。
即ち、上面シート５０Ｆは、トップシート２０の短手方向の略中央から突出する支持部５６に支持されている。この支持部５６は、図１２に示されるように、着用時において、着用者のでん裂部５００に押し当てられた際に押し潰されない程度の強度を備える素材である限りにおいて特に限定されず、例えば、ウレタンフォームで形成されてよい。
なお、支持部５６の高さは、特に限定されないが、１０ｍｍ以上４０ｍｍ以下であってよい。
【００９２】
以上の変形例３によれば、以下の作用効果が得られる。
【００９３】
上面シート５０Ｆを支持部５６で支持したので、上面シート５０Ｆが着用者のでん裂部５００の溝に強く挿入される。このため、上面シート５０Ｆと着用者のでん裂部の溝との隙間がより確実に埋められるので、排泄物の漏出をより充分且つ確実に抑制できる。
【図面の簡単な説明】
【００９４】
【図１】本発明の第１実施形態に係る吸収性物品の全体斜視図である。
【図２】図１の平面図である。
【図３】図２のＸ−Ｘ線断面図である。
【図４】図２のＹ−Ｙ線断面図である。
【図５】本発明の第２実施形態に係る吸収性物品の平面図である。
【図６】前記実施形態に係る吸収性物品の使用状態を示す図である。
【図７】本発明の第３実施形態に係る吸収性物品の全体斜視図である。
【図８】本発明の変形例１に係る吸収性物品の平面図である。
【図９】本発明の変形例２に係る吸収性物品の平面図である。
【図１０】本発明の変形例２に係る吸収性物品の平面図である。
【図１１】本発明の変形例３に係る吸収性物品の断面図である。
【図１２】前記変形例に係る吸収性物品の使用状態を示す図である。
【符号の説明】
【００９５】
１０  使い捨ておむつ（吸収性物品）
２０  トップシート
２１  前端
２２  後端
３０  バックシート
４０  吸収体
５０  上面シート
５１  一端
５２  他端
６０  弾性部材（長さ調整手段、伸縮性付与手段）
７０  ギャザー
９０  誘導部
【図１】
2008043525.tif 000003
【図２】
2008043525.tif 000004
【図３】
2008043525.tif 000005
【図４】
2008043525.tif 000006
【図５】
2008043525.tif 000007
【図６】
2008043525.tif 000008
【図７】
2008043525.tif 000009
【図８】
2008043525.tif 000010
【図９】
2008043525.tif 000011
【図１０】
2008043525.tif 000012
【図１１】
2008043525.tif 000013
【図１２】
2008043525.tif 000014